(57)【要約】【課題】本発明は、シンプルな構造でありながら単数の始動駆動体で複数の発電機を用いて発電できる改良型高効率発電装置を提供する。【解決手段】改良型高効率発電装置１０に回転可能に支持された回転体支持中空シャフト２２には回転体２８が取り付けられている。回転体には等間隔で発電機３６Ａ，３６Ｂ，３６Ｃ，３６Ｄとギヤ装置５０がセットで設けられている。回転体支持中空シャフト２２には錘装置取付パイプ６０が設けられている。錘装置取付パイプ６０には伝動第１スプロケット６２Ａと伝動第２スプロケット６２Ｂが設けられている。錘装置取付パイプ６０には錘装置６４が設けられている。発電機３６Ａ，３６Ｂ，３６Ｃ，３６Ｄの発電機シャフト４０と錘装置取付パイプ６０は伝動第１チェーン８０Ａ，伝動第２チェーン８０Ｂ，伝動第３チェーン８０Ｃ，伝動第４チェーン８０Ｄで接続されている。【選択図】図１
2019024299.tif 000002
【特許請求の範囲】
【請求項１】
立設された回転体第１支持体と、この回転体第１支持体と対向して立設された回転体第２支持体と、前記回転体第１支持体と前記回転体第２支持体に回転自在に支持された回転体支持シャフトと、この回転体支持シャフトを回転させる始動駆動体と、前記回転体支持シャフトに回転可能に取り付けられた回転体と、この回転体に回転体の周方向に向かって等間隔で取り付けられた複数の発電機と、この発電機の固定子に取り付けられた少なくとも１以上の発電機用スプロケットと、前記回転体に前記発電機とセットになって複数設けられると共に前記発電機の回転子を回転させることができるギヤ装置と、前記回転体支持シャフトに外装されると共に回転体支持シャフトと関係しないで回転可能な錘装置取付パイプと、この錘装置取付パイプに固定して取り付けられた少なくとも１以上の伝動スプロケットと、前記錘装置取付パイプに固定して取り付けられた伝動歯車と、前記錘装置取付パイプに設けられた錘装置と、この錘装置を構成すると共に前記錘装置取付パイプに固定された錘支持フレームと、この錘支持フレームに回転可能に取り付けられた錘支持シャフトと、この錘支持シャフトに取り付けられると共に前記伝動歯車と噛み合って設けられた錘装置歯車と、前記錘支持シャフトに吊り下げられた錘と、前記発電機用スプロケットと前記伝動スプロケットに懸架された伝動チェーンと、を有してなることを特徴とする改良型高効率発電装置。
【請求項２】
立設された回転体第１支持体と、この回転体第１支持体と対向して立設された回転体第２支持体と、前記回転体第１支持体と前記回転体第２支持体に回転自在に支持された回転体支持シャフトと、この回転体支持シャフトを回転させる始動駆動体と、前記回転体支持シャフトに回転可能に取り付けられた回転体と、この回転体に回転体の周方向に向かって等間隔で取り付けられた複数の発電機と、前記発電機の回転円盤部に挿通される発電機シャフトと、この発電機シャフトに取り付けられると共に前記回転円盤部に連結された発電機第１歯車と、前記発電機シャフトに取り付けられた発電機第２歯車と、前記発電機シャフトに取り付けられた少なくとも１以上の発電機用スプロケットと、前記回転体に前記発電機とセットになって複数設けられたギヤ装置と、このギヤ装置を構成すると共に回転可能に取り付けられたギヤシャフトと、このギヤシャフトに回転可能に取り付けられると共に前記発電機第１歯車と噛み合うギヤシャフト第１歯車と、前記ギヤシャフトに回転可能に取り付けられると共に前記発電機第２歯車と噛み合うギヤシャフト第２歯車と、前記回転体支持シャフトに外装されると共に回転体支持シャフトと関係しないで回転可能な錘装置取付パイプと、この錘装置取付パイプに固定して取り付けられた少なくとも１以上の伝動スプロケットと、前記錘装置取付パイプに固定して取り付けられた伝動歯車と、前記錘装置取付パイプに設けられた錘装置と、この錘装置を構成すると共に前記錘装置取付パイプに固定された錘支持フレームと、この錘支持フレームに回転可能に取り付けられた錘支持シャフトと、この錘支持シャフトに取り付けられると共に前記伝動歯車と噛み合って設けられた錘装置歯車と、前記錘支持シャフトに吊り下げられた錘吊下げ棒に取り外し可能に取り付けられた錘と、前記発電機用スプロケットと前記伝動スプロケットに懸架された伝動チェーンと、を有してなることを特徴とする改良型高効率発電装置。
【請求項３】
立設された回転体第１支持体と、この回転体第１支持体と対向して立設された回転体第２支持体と、前記回転体第１支持体と前記回転体第２支持体に回転自在に支持された回転体支持中空シャフトと、この回転体支持中空シャフトを回転させる始動駆動体と、前記回転体支持中空シャフトに固定状態で外装された回転体取付パイプと、この回転体取付パイプに回転可能に取り付けられた回転体と、この回転体を構成する回転体第１矩形フレームと、この回転体第１矩形フレームと前記回転体を構成すると共に回転体第１矩形フレームと間隔を設けて対向して設けられる回転体第２矩形フレームと、前記回転体第１矩形フレームに回転体の周方向に向かって等間隔で取り付けられた複数の発電機第１支持片と、前記回転体第２矩形フレームに回転体の周方向に向かって等間隔で取り付けられた複数の発電機第２支持片と、前記発電機第１支持片と前記発電機第２支持片の間にそれぞれ配設された複数の発電機と、前記発電機の回転円盤部に挿通されると共に一端部が前記発電機第１支持片に他端部が前記発電機第２支持片に支持された発電機シャフトと、前記発電機シャフトの中間部に取り付けられると共に前記回転円盤部に連結された発電機第１歯車と、前記発電機シャフトの中間部に取り付けられた発電機第２歯車と、前記発電機シャフトの他端部に取り付けられた少なくとも１以上の発電機用スプロケットと、前記発電機第１支持片と発電機第２支持片との間に前記発電機とセットになって複数設けられたギヤ装置と、このギヤ装置を構成すると共に回転可能に取り付けられたギヤシャフトと、このギヤシャフトの中間部に回転可能に取り付けられると共に前記発電機第１歯車と噛み合うギヤシャフト第１歯車と、前記ギヤシャフトの中間部に回転可能に取り付けられると共に前記発電機第２歯車と噛み合うギヤシャフト第２歯車と、前記回転体支持中空シャフトに外装されると共に回転体支持中空シャフトと関係しないで回転可能な錘装置取付パイプと、この錘装置取付パイプに固定して取り付けられた伝動第１スプロケット及び伝動第２スプロケットと、前記錘装置取付パイプに固定して取り付けられた伝動歯車と、前記錘装置取付パイプに設けられた錘装置と、この錘装置を構成すると共に前記錘装置取付パイプに固定された錘支持フレームと、この錘支持フレームに回転可能に取り付けられた錘支持シャフトと、この錘支持シャフトに取り付けられると共に前記伝動歯車と噛み合って設けられた錘装置歯車と、前記錘支持シャフトに吊り下げられた錘吊下げ棒と、この錘吊下げ棒に取り外し可能に取り付けられた錘と、前記発電機用スプロケットと前記伝動第１スプロケット，前記伝動第２スプロケットに懸架された伝動チェーンと、前記発電機に一端部が接続されたリード線と、を有してなることを特徴とする改良型高効率発電装置。
【請求項４】
立設された回転体支持フレームと、この回転体支持フレームの上方に回転可能に配設された回転体支持シャフトと、前記回転体支持シャフトに回転可能に取り付けられた回転体と、この回転体に回転体の周方向に向かって等間隔で取り付けられた複数の発電機と、この発電機の固定子に取り付けられた少なくとも１以上の発電機用スプロケットと、前記回転体に前記発電機とセットになって複数設けられると共に前記発電機の回転子を回転させることができるギヤ装置と、前記回転体支持シャフトに外装されると共に回転体支持シャフトとフリーな関係の錘装置取付パイプと、この錘装置取付パイプに固定して取り付けられた少なくとも１以上の伝動スプロケットと、前記錘装置取付パイプに設けられた錘装置と、前記発電機用スプロケットと前記伝動スプロケットに懸架された伝動チェーンと、前記回転体の下方に配設されて回転体と当接して回転体を支持すると共に回転可能に設けられた回転力伝達体と、この回転力伝達体を回転させる始動駆動体と、を有してなることを特徴とする改良型高効率発電装置。
【請求項５】
立設された回転体支持フレームと、この回転体支持フレームの上方に回転可能に配設された回転体支持シャフトと、この回転体支持シャフトに回転可能に取り付けられた回転体と、この回転体に回転体の周方向に向かって等間隔で取り付けられた複数の発電機と、前記発電機の回転円盤部に挿通される発電機シャフトと、この発電機シャフトに取り付けられると共に前記回転円盤部に連結された発電機第１歯車と、前記発電機シャフトに取り付けられた発電機第２歯車と、前記発電機シャフトに取り付けられた少なくとも１以上の発電機用スプロケットと、前記回転体に前記発電機とセットになって複数設けられたギヤ装置と、このギヤ装置を構成すると共に回転可能に取り付けられたギヤシャフトと、このギヤシャフトに回転可能に取り付けられると共に前記発電機第１歯車と噛み合うギヤシャフト第１歯車と、前記ギヤシャフトに回転可能に取り付けられると共に前記発電機第２歯車と噛み合うギヤシャフト第２歯車と、前記回転体支持シャフトに外装されると共に回転体支持シャフトとフリーな関係の錘装置取付パイプと、この錘装置取付パイプに固定して取り付けられた少なくとも１以上の伝動スプロケットと、前記錘装置取付パイプに吊り下げられた状態で固定される錘吊下げ棒と、この錘吊下げ棒に取り外し可能に取り付けられた錘と、前記発電機用スプロケットと前記伝動スプロケットに懸架された伝動チェーンと、前記回転体の下方に配設されて回転体と当接して回転体を支持すると共に回転可能に設けられた回転力伝達体と、この回転力伝達体を回転させる始動駆動体と、を有してなることを特徴とする改良型高効率発電装置。
【請求項６】
立設された回転体支持フレームと、この回転体支持フレームの上方に回転可能に配設された回転体支持シャフトと、この回転体支持シャフトに取り付けられると共に回転体支持シャフトと一緒に回転可能に取り付けられた回転体と、この回転体を構成する複数の発電機第１支持片と、これら複数の発電機第１支持片と前記回転体を構成すると共に複数の発電機第１支持片と間隔を設けて対向して設けられる複数の発電機第２支持片と、前記複数の発電機第１支持片の外周部に設けられた回転体第１リング板と、前記複数の発電機第２支持片の外周部に設けられた回転体第２リング板と、前記発電機第１支持片と前記発電機第２支持片の間にそれぞれ配設された複数の発電機と、前記発電機の回転円盤部に挿通されると共に一端部が前記発電機第１支持片に他端部が前記発電機第２支持片に支持された発電機シャフトと、前記発電機シャフトの中間部に取り付けられると共に前記回転円盤部に連結された発電機第１歯車と、前記発電機シャフトの中間部に取り付けられた発電機第２歯車と、前記発電機シャフトの他端部に取り付けられた少なくとも１以上の発電機用スプロケットと、前記発電機第１支持片と発電機第２支持片との間に前記発電機とセットになって複数設けられたギヤ装置と、このギヤ装置を構成すると共に回転可能に取り付けられたギヤシャフトと、このギヤシャフトの中間部に回転可能に取り付けられると共に前記発電機第１歯車と噛み合うギヤシャフト第１歯車と、前記ギヤシャフトの中間部に回転可能に取り付けられると共に前記発電機第２歯車と噛み合うギヤシャフト第２歯車と、前記回転体支持シャフトの一端部に外装されると共に回転体支持シャフトとフリーな関係の錘装置取付第１パイプと、前記回転体支持シャフトの他端部に外装されると共に回転体支持シャフトとフリーな関係の錘装置取付第２パイプと、前記錘装置取付第１パイプ及び前記錘装置取付第２パイプにそれぞれ固定された伝動第１スプロケット及び伝動第２スプロケットと、前記錘装置取付第１パイプに吊り下げられた状態で固定される錘吊下げ第１棒と、前記錘装置取付第２パイプに吊り下げられた状態で固定される錘吊下げ第２棒と、この錘吊下げ第１棒及び錘吊下げ第２棒に取り外し可能に取り付けられた錘と、前記発電機用スプロケットと前記伝動第１スプロケット，前記伝動第２スプロケットに懸架された伝動チェーンと、前記回転体の下方に配設されて前記回転体第１リング板と当接して回転体を支持すると共に回転体第１リング板を回転させる回転力伝達第１プーリーと、前記回転体の下方に配設されて前記回転体第２リング板と当接して回転体を支持すると共に回転体第２リング板を回転させる回転力伝達第２プーリーと、この回転力伝達第１プーリーと回転力伝達第２プーリーを回転させる始動駆動体と、を有してなることを特徴とする改良型高効率発電装置。
【請求項７】
前記発電機をアウターローターコアレス発電機で形成したことを特徴とする請求項１、請求項２、請求項３、請求項４、請求項５、請求項６のいずれか１項記載の改良型高効率発電装置。
【発明の詳細な説明】
【技術分野】
【０００１】
本発明は、発電装置に関し、より詳しくは発電効率が極めて高い改良型高効率発電装置に関する。
【背景技術】
【０００２】
現代社会においては毎日膨大な電力が消費されているが、ほとんどの電気は電力会社の火力発電所をはじめとする各種発電所で石油等をはじめとする化石燃料等の天然資源を燃やして発電し、供給されている。
このため、火力発電所では膨大な量の石油等の天然資源を消費とすると共に前記天然資源を消費することにより二酸化炭素等の有害物質が発生し、公害問題の原因ともなっている。
そこで、近年、環境汚染、公害問題の心配が少なく、安全性の高い風力発電装置や太陽光発電装置等が注目を集めると共に提案されている。
しかしながら前記風力発電装置においては発電するためには一定以上の風力が必要であるため風力が弱い場合や無風状態の場合は発電することができない。また、風力発電では風を受けたプロペラが回転することにより発電させるが、前記プロペラの回転により発生する低周波音が近隣住民の健康問題を引き起こす場合があるという課題がある。
また、太陽光発電においては発電させるためには一定以上の太陽光が必要になる。このため、雨天、曇天の日や夜間等のように一定以上の太陽光を得ることができない場合は発電することはできないという課題がある。
そこで、前記風力発電や太陽光発電のように自然環境に影響を受けないで効率よく安定して発電できる高効率発電装置が提案されている（例えば特許文献１）。
【先行技術文献】
【特許文献】
【０００３】
【特許文献１】特許第５８１６７３４号公報
【発明の概要】
【発明が解決しようとする課題】
【０００４】
しかし、前記高効率発電装置は部品点数が多く、構造が複雑になると共に経済的でないという課題がある。
【０００５】
本発明は、上記事実に鑑みなされたものであり、構成がシンプルであると共に部品点数を抑えた経済的な改良型高効率発電装置を提供するものである。
【課題を解決するための手段】
【０００６】
本発明は、上記の如き実情に鑑みこれらの課題を解決することを目的として創作されたものであり、
請求項１の発明は、立設された回転体第１支持体と、この回転体第１支持体と対向して立設された回転体第２支持体と、前記回転体第１支持体と前記回転体第２支持体に回転自在に支持された回転体支持シャフトと、この回転体支持シャフトを回転させる始動駆動体と、前記回転体支持シャフトに回転可能に取り付けられた回転体と、この回転体に回転体の周方向に向かって等間隔で取り付けられた複数の発電機と、この発電機の固定子に取り付けられた少なくとも１以上の発電機用スプロケットと、前記回転体に前記発電機とセットになって複数設けられると共に前記発電機の回転子を回転させることができるギヤ装置と、前記回転体支持シャフトに外装されると共に回転体支持シャフトと関係しないで回転可能な錘装置取付パイプと、この錘装置取付パイプに固定して取り付けられた少なくとも１以上の伝動スプロケットと、前記錘装置取付パイプに固定して取り付けられた伝動歯車と、前記錘装置取付パイプに設けられた錘装置と、この錘装置を構成すると共に前記錘装置取付パイプに固定された錘支持フレームと、この錘支持フレームに回転可能に取り付けられた錘支持シャフトと、この錘支持シャフトに取り付けられると共に前記伝動歯車と噛み合って設けられた錘装置歯車と、前記錘支持シャフトに吊り下げられた錘と、前記発電機用スプロケットと前記伝動スプロケットに懸架された伝動チェーンと、を有してなることを特徴としている。
請求項２の発明は、立設された回転体第１支持体と、この回転体第１支持体と対向して立設された回転体第２支持体と、前記回転体第１支持体と前記回転体第２支持体に回転自在に支持された回転体支持シャフトと、この回転体支持シャフトを回転させる始動駆動体と、前記回転体支持シャフトに回転可能に取り付けられた回転体と、この回転体に回転体の周方向に向かって等間隔で取り付けられた複数の発電機と、前記発電機の回転円盤部に挿通される発電機シャフトと、この発電機シャフトに取り付けられると共に前記回転円盤部に連結された発電機第１歯車と、前記発電機シャフトに取り付けられた発電機第２歯車と、前記発電機シャフトに取り付けられた少なくとも１以上の発電機用スプロケットと、前記回転体に前記発電機とセットになって複数設けられたギヤ装置と、このギヤ装置を構成すると共に回転可能に取り付けられたギヤシャフトと、このギヤシャフトに回転可能に取り付けられると共に前記発電機第１歯車と噛み合うギヤシャフト第１歯車と、前記ギヤシャフトに回転可能に取り付けられると共に前記発電機第２歯車と噛み合うギヤシャフト第２歯車と、前記回転体支持シャフトに外装されると共に回転体支持シャフトと関係しないで回転可能な錘装置取付パイプと、この錘装置取付パイプに固定して取り付けられた少なくとも１以上の伝動スプロケットと、前記錘装置取付パイプに固定して取り付けられた伝動歯車と、前記錘装置取付パイプに設けられた錘装置と、この錘装置を構成すると共に前記錘装置取付パイプに固定された錘支持フレームと、この錘支持フレームに回転可能に取り付けられた錘支持シャフトと、この錘支持シャフトに取り付けられると共に前記伝動歯車と噛み合って設けられた錘装置歯車と、前記錘支持シャフトに吊り下げられた錘吊下げ棒に取り外し可能に取り付けられた錘と、前記発電機用スプロケットと前記伝動スプロケットに懸架された伝動チェーンと、を有してなることを特徴としている。
請求項３の発明は、立設された回転体第１支持体と、この回転体第１支持体と対向して立設された回転体第２支持体と、前記回転体第１支持体と前記回転体第２支持体に回転自在に支持された回転体支持中空シャフトと、この回転体支持中空シャフトを回転させる始動駆動体と、前記回転体支持中空シャフトに固定状態で外装された回転体取付パイプと、この回転体取付パイプに回転可能に取り付けられた回転体と、この回転体を構成する回転体第１矩形フレームと、この回転体第１矩形フレームと前記回転体を構成すると共に回転体第１矩形フレームと間隔を設けて対向して設けられる回転体第２矩形フレームと、前記回転体第１矩形フレームに回転体の周方向に向かって等間隔で取り付けられた複数の発電機第１支持片と、前記回転体第２矩形フレームに回転体の周方向に向かって等間隔で取り付けられた複数の発電機第２支持片と、前記発電機第１支持片と前記発電機第２支持片の間にそれぞれ配設された複数の発電機と、前記発電機の回転円盤部に挿通されると共に一端部が前記発電機第１支持片に他端部が前記発電機第２支持片に支持された発電機シャフトと、前記発電機シャフトの中間部に取り付けられると共に前記回転円盤部に連結された発電機第１歯車と、前記発電機シャフトの中間部に取り付けられた発電機第２歯車と、前記発電機シャフトの他端部に取り付けられた少なくとも１以上の発電機用スプロケットと、前記発電機第１支持片と発電機第２支持片との間に前記発電機とセットになって複数設けられたギヤ装置と、このギヤ装置を構成すると共に回転可能に取り付けられたギヤシャフトと、このギヤシャフトの中間部に回転可能に取り付けられると共に前記発電機第１歯車と噛み合うギヤシャフト第１歯車と、前記ギヤシャフトの中間部に回転可能に取り付けられると共に前記発電機第２歯車と噛み合うギヤシャフト第２歯車と、前記回転体支持中空シャフトに外装されると共に回転体支持中空シャフトと関係しないで回転可能な錘装置取付パイプと、この錘装置取付パイプに固定して取り付けられた伝動第１スプロケット及び伝動第２スプロケットと、前記錘装置取付パイプに固定して取り付けられた伝動歯車と、前記錘装置取付パイプに設けられた錘装置と、この錘装置を構成すると共に前記錘装置取付パイプに固定された錘支持フレームと、この錘支持フレームに回転可能に取り付けられた錘支持シャフトと、この錘支持シャフトに取り付けられると共に前記伝動歯車と噛み合って設けられた錘装置歯車と、前記錘支持シャフトに吊り下げられた錘吊下げ棒と、この錘吊下げ棒に取り外し可能に取り付けられた錘と、前記発電機用スプロケットと前記伝動第１スプロケット，前記伝動第２スプロケットに懸架された伝動チェーンと、前記発電機に一端部が接続されたリード線と、を有してなることを特徴としている。
請求項４の発明は、立設された回転体支持フレームと、この回転体支持フレームの上方に回転可能に配設された回転体支持シャフトと、前記回転体支持シャフトに回転可能に取り付けられた回転体と、この回転体に回転体の周方向に向かって等間隔で取り付けられた複数の発電機と、この発電機の固定子に取り付けられた少なくとも１以上の発電機用スプロケットと、前記回転体に前記発電機とセットになって複数設けられると共に前記発電機の回転子を回転させることができるギヤ装置と、前記回転体支持シャフトに外装されると共に回転体支持シャフトとフリーな関係の錘装置取付パイプと、この錘装置取付パイプに固定して取り付けられた少なくとも１以上の伝動スプロケットと、前記錘装置取付パイプに設けられた錘装置と、前記発電機用スプロケットと前記伝動スプロケットに懸架された伝動チェーンと、前記回転体の下方に配設されて回転体と当接して回転体を支持すると共に回転可能に設けられた回転力伝達体と、この回転力伝達体を回転させる始動駆動体と、を有してなることを特徴としている。
請求項５の発明は、立設された回転体支持フレームと、この回転体支持フレームの上方に回転可能に配設された回転体支持シャフトと、この回転体支持シャフトに回転可能に取り付けられた回転体と、この回転体に回転体の周方向に向かって等間隔で取り付けられた複数の発電機と、前記発電機の回転円盤部に挿通される発電機シャフトと、この発電機シャフトに取り付けられると共に前記回転円盤部に連結された発電機第１歯車と、前記発電機シャフトに取り付けられた発電機第２歯車と、前記発電機シャフトに取り付けられた少なくとも１以上の発電機用スプロケットと、前記回転体に前記発電機とセットになって複数設けられたギヤ装置と、このギヤ装置を構成すると共に回転可能に取り付けられたギヤシャフトと、このギヤシャフトに回転可能に取り付けられると共に前記発電機第１歯車と噛み合うギヤシャフト第１歯車と、前記ギヤシャフトに回転可能に取り付けられると共に前記発電機第２歯車と噛み合うギヤシャフト第２歯車と、前記回転体支持シャフトに外装されると共に回転体支持シャフトとフリーな関係の錘装置取付パイプと、この錘装置取付パイプに固定して取り付けられた少なくとも１以上の伝動スプロケットと、前記錘装置取付パイプに吊り下げられた状態で固定される錘吊下げ棒と、この錘吊下げ棒に取り外し可能に取り付けられた錘と、前記発電機用スプロケットと前記伝動スプロケットに懸架された伝動チェーンと、前記回転体の下方に配設されて回転体と当接して回転体を支持すると共に回転可能に設けられた回転力伝達体と、この回転力伝達体を回転させる始動駆動体と、を有してなることを特徴としている。
請求項６の発明は、立設された回転体支持フレームと、この回転体支持フレームの上方に回転可能に配設された回転体支持シャフトと、この回転体支持シャフトに取り付けられると共に回転体支持シャフトと一緒に回転可能に取り付けられた回転体と、この回転体を構成する複数の発電機第１支持片と、これら複数の発電機第１支持片と前記回転体を構成すると共に複数の発電機第１支持片と間隔を設けて対向して設けられる複数の発電機第２支持片と、前記複数の発電機第１支持片の外周部に設けられた回転体第１リング板と、前記複数の発電機第２支持片の外周部に設けられた回転体第２リング板と、前記発電機第１支持片と前記発電機第２支持片の間にそれぞれ配設された複数の発電機と、前記発電機の回転円盤部に挿通されると共に一端部が前記発電機第１支持片に他端部が前記発電機第２支持片に支持された発電機シャフトと、前記発電機シャフトの中間部に取り付けられると共に前記回転円盤部に連結された発電機第１歯車と、前記発電機シャフトの中間部に取り付けられた発電機第２歯車と、前記発電機シャフトの他端部に取り付けられた少なくとも１以上の発電機用スプロケットと、前記発電機第１支持片と発電機第２支持片との間に前記発電機とセットになって複数設けられたギヤ装置と、このギヤ装置を構成すると共に回転可能に取り付けられたギヤシャフトと、このギヤシャフトの中間部に回転可能に取り付けられると共に前記発電機第１歯車と噛み合うギヤシャフト第１歯車と、前記ギヤシャフトの中間部に回転可能に取り付けられると共に前記発電機第２歯車と噛み合うギヤシャフト第２歯車と、前記回転体支持シャフトの一端部に外装されると共に回転体支持シャフトとフリーな関係の錘装置取付第１パイプと、前記回転体支持シャフトの他端部に外装されると共に回転体支持シャフトとフリーな関係の錘装置取付第２パイプと、前記錘装置取付第１パイプ及び前記錘装置取付第２パイプにそれぞれ固定された伝動第１スプロケット及び伝動第２スプロケットと、前記錘装置取付第１パイプに吊り下げられた状態で固定される錘吊下げ第１棒と、前記錘装置取付第２パイプに吊り下げられた状態で固定される錘吊下げ第２棒と、この錘吊下げ第１棒及び錘吊下げ第２棒に取り外し可能に取り付けられた錘と、前記発電機用スプロケットと前記伝動第１スプロケット，前記伝動第２スプロケットに懸架された伝動チェーンと、前記回転体の下方に配設されて前記回転体第１リング板と当接して回転体を支持すると共に回転体第１リング板を回転させる回転力伝達第１プーリーと、前記回転体の下方に配設されて前記回転体第２リング板と当接して回転体を支持すると共に回転体第２リング板を回転させる回転力伝達第２プーリーと、この回転力伝達第１プーリーと回転力伝達第２プーリーを回転させる始動駆動体と、を有してなることを特徴としている。
請求項７の発明は、前記発電機をアウターローターコアレス発電機で形成したことを特徴としている。
【発明の効果】
【０００７】
本発明は、部品点数が少なく構造もシンプルであるので製造効率を高めることができると共に提供価格を抑えて提供することができるという優れた効果を有する。
本発明は、単数の始動駆動体で複数の発電機を作動させて発電することができるので極めて効率よく発電を行うことができるという優れた効果を有する。
本発明は、単数の始動駆動体で複数の発電機を作動させて発電するため二酸化炭素等の発生を可及的に低く抑えることができ環境に優しく、公害の発生を抑えることができるという優れた効果を有する。
【図面の簡単な説明】
【０００８】
【図１】第１実施例の改良型高効率発電装置の正面図である。
【図２】第１実施例の改良型高効率発電装置の側面図である。
【図３】第１実施例の改良型高効率発電装置の平面図である。
【図４】第１実施例の改良型高効率発電装置を背面側から見た一部拡大斜視図である。
【図５】第１実施例の改良型高効率発電装置の発電機の概略縦断面である。
【図６】フレーム第１連結体とフレーム第２連結体を取り外した状態の第２実施例の改良型高効率発電装置の正面図である。
【図７】第２実施例の改良型高効率発電装置の側面図である。
【図８】第２実施例の改良型高効率発電装置の平面図である。
【図９】第２実施例の改良型高効率発電装置の回転体の一部拡大斜視図である。
【図１０】第２実施例の改良型高効率発電装置の一側部側から見た発電機スプロケットと伝動第１スプロケット、伝動第２スプロケットと伝動チェーンの懸架パターンの関連を示す模式図である。
【図１１】第２実施例の改良型高効率発電装置の他側部側から見た発電機スプロケットと伝動第１スプロケット、伝動第２スプロケットと伝動チェーンの懸架パターンの関連を示す模式図である。
【図１２】第２実施例の改良型高効率発電装置の一部拡大縦断面図である。
【発明を実施するための形態】
【０００９】
発明を実施するために最良の形態の例として以下のような実施例を示す。
【実施例１】
【００１０】
図１〜図５には本発明に係る改良型高効率発電装置の第１実施例が示されている。
図１に示されるように、この実施例の改良型高効率発電装置１０の下部には平面視矩形状のベースプレート１２が配設されている。
このベースプレート１２の一端部には回転体第１支持体１４が立設され、ベースプレート１２の他端部には回転体第２支持体１６が立設されている。前記回転体第１支持体１４と前記回転体第２支持体１６は互いに対向して立設されている。
【００１１】
前記回転体第１支持体１４の天面１４Ａの中間部には始動駆動体としての始動モーター１８が載置された状態で固定されている。この始動モーター１８は回転体第１支持体１４に取り付けられたコントロールボックス１９のモータースイッチ（図示せず）をオンすることにより始動回転するようになっている。
【００１２】
前記回転体第１支持体１４の天面１４Ａの一端部と他端部にはピローブロック２０Ａ，２０Ｂがそれぞれ載置固定されている。これらピローブロック２０Ａ，２０Ｂは同心状に固定されている。
【００１３】
また、前記回転体第２支持体１６の上端部にもピローブロック２０Ｃが設けられている。このピローブロック２０Ｃは前記ピローブロック２０Ａ，２０Ｂと同心状に固定されている。
【００１４】
前記ピローブロック２０Ａ，２０Ｂ，２０Ｃには回転体支持シャフトとしての回転体支持中空シャフト２２が挿通され、前記回転体支持中空シャフト２２は、ピローブロック２０Ａ，２０Ｂ，２０Ｃによって回転自在に支持されている。
【００１５】
この回転体支持中空シャフト２２は、大径部と小径部を有すると共に内部には回転体支持中空シャフト２２の長手方向に向かって空洞部（図示せず）が形成されている。この空洞部にはリード線２３（図１参照）の中間部が配設されるようになっている。
【００１６】
前記回転体支持中空シャフト２２の一端部には第１スリップリング２４が取り付けられている。
【００１７】
前記回転体支持中空シャフト２２の中央部には回転体取付パイプ２６が外装された状態で回転体支持中空シャフト２２と固定され、回転体支持中空シャフト２２が回転すると回転体取付パイプ２６も一緒に回転するようになっている。
【００１８】
前記回転体取付パイプ２６には回転体２８が取り付けられており、回転体２８は回転体取付パイプ２６と固定されている。
従って、前記回転体支持中空シャフト２２が回転すると前記回転体取付パイプ２６を介して回転体支持中空シャフト２２を中心にして回転体２８も一緒に回転するようになっている。
なお、この実施例では回転体２８は図２時計回り方向（図２矢印Ａ方向）に回転するように設定されている。
【００１９】
前記回転体２８は、回転体第１矩形フレーム２８Ａと回転体第２矩形フレーム２８Ｂと間隔保持棒２８Ｃとから構成されている。
【００２０】
図３に示されるように、前記回転体第１矩形フレーム２８Ａと前記回転体第２矩形フレーム２８Ｂは、互いに間隔を設けて対向している。回転体第１矩形フレーム２８Ａと回転体第２矩形フレーム２８Ｂの間には回転体２８の周方向に向かって間隔保持棒２８Ｃが等間隔で複数設けられ、回転体第１矩形フレーム２８Ａと回転体第２矩形フレーム２８Ｂの間隔を保持している。
【００２１】
図２及び図４に示されるように、前記回転体第１矩形フレーム２８Ａの内側には長尺状の発電機第１支持片３０が回転体２８の周方向に向かって９０°間隔で４本取り付けられている。
また、前記回転体第２矩形フレーム２８Ｂの内側には長尺状の発電機第２支持片３２が回転体２８の周方向に向かって９０°間隔で４本取り付けられている。
【００２２】
前記４本の発電機第１支持片３０と前記４本の発電機第２支持片３２は互いに対向して設けられている。
【００２３】
図２に示されるように、前記４本の発電機第１支持片３０と前記４本の発電機第２支持片３２を互いに対向して設けることにより、発電機第１支持片３０の先端部と発電機第２支持片３２の先端部の間には第１発電機配設部３４Ａ，第２発電機配設部３４Ｂ，第３発電機配設部３４Ｃ，第４発電機配設部３４Ｄが等間隔で形成されている。
【００２４】
第１発電機配設部３４Ａには発電機３６Ａが配設され、第２発電機配設部３４Ｂには発電機３６Ｂが配設され、第３発電機配設部３４Ｃには発電機３６Ｃが配設され、第４発電機配設部３４Ｄには発電機３６Ｄが配設されている。
【００２５】
なお、この実施例では前記発電機３６Ａ，発電機３６Ｂ，発電機３６Ｃ，発電機３６Ｄは、同一の発電機で、株式会社スカイ電子の製品番号ＳＫＹ−ＨＲ２００のアウターローターコアレス発電機が使用され、回転円盤部が回転しない発電機シャフトを中心に回転することにより発電が行われる発電機である。
【００２６】
図５に示されるように、前記発電機３６Ａ，３６Ｂ，３６Ｃ，３６Ｄの回転子としての回転円盤部３８には固定子としての発電機シャフト４０が挿通されている。
【００２７】
図１及び図２に示されるように、この発電機シャフト４０は前記発電機第１支持片３０に固定された軸受ユニット４２と発電機第２支持片３２に固定された軸受ユニット４２にそれぞれ支持されている。
【００２８】
図１に示されるように、前記発電機シャフト４０の中間部には発電機第１歯車としての発電機小歯車４４が取り付けられている。この発電機小歯車４４は前記発電機３６Ａ，３６Ｂ，３６Ｃ，３６Ｄの回転円盤部３８と連結されており、回転円盤部３８と一緒に回転するようになっている。
【００２９】
また、前記発電機シャフト４０の中間部には発電機第２歯車としての発電機大歯車４６が取り付けられている。この発電機大歯車４６は発電機シャフト４０と固定されている。
【００３０】
図２に示されるように、前記発電機３６Ａの発電機シャフト４０の他端部には第１発電機スプロケット４８Ａと第２発電機スプロケット４８Ｂが並んで発電機シャフト４０に取り付けられている（なお、図２には第２発電機スプロケット４８Ｂのみが現れる）。
【００３１】
前記発電機３６Ｂの発電機シャフト４０の他端部には第１発電機スプロケット４８Ａが発電機シャフト４０に取り付けられている。
【００３２】
前記発電機３６Ｃの発電機シャフト４０の他端部には第１発電機スプロケット４８Ａと第２発電機スプロケット４８Ｂが並んで発電機シャフト４０に取り付けられている（なお、図２には第２発電機スプロケット４８Ｂのみが現れる）。
【００３３】
前記発電機３６Ｄの発電機シャフト４０の他端部には第１発電機スプロケット４８Ａが発電機シャフト４０に取り付けられている。
【００３４】
前記４個の発電機３６Ａ，３６Ｂ，３６Ｃ，３６Ｄの発電機シャフト４０の他端にはそれぞれ第２スリップリング４９が取り付けられている。
【００３５】
前記発電機３６Ａ，３６Ｂ，３６Ｃ，３６Ｄに一端部が接続された前記リード線２３は第２スリップリング４９から回転体支持中空シャフト２２の空洞部を通って前記第１スリップリング２４に配線されるようになっている。
【００３６】
図１及び図３に示されるように、前記発電機第１支持片３０と発電機第２支持片３２との間には前記発電機３６Ａ，３６Ｂ，３６Ｃ，３６Ｄとセットになってギヤ装置５０がそれぞれ設けられている。
【００３７】
このギヤ装置５０のギヤシャフト５２の一端部は前記発電機第１支持片３０に固定された軸受ユニット４２に支持され、前記ギヤシャフト５２の他端部は前記発電機第２支持片３２に設けられたギヤシャフト支持片５４に支持されている。
【００３８】
前記ギヤシャフト５２の中間部にはギヤシャフト第１歯車としてのギヤシャフト大歯車５６とギヤシャフト第２歯車としてのギヤシャフト小歯車５８が取り付けられている。
このギヤシャフト大歯車５６は前記発電機小歯車４４と噛み合い、ギヤシャフト小歯車５８は前記発電機大歯車４６と噛み合っている。
【００３９】
この実施例では前記ギヤシャフト大歯車５６と前記発電機小歯車４４のギヤ比と前記ギヤシャフト小歯車５８と前記発電機大歯車４６のギヤ比は３：１とされている。
【００４０】
図１に示されるように、前記回転体支持中空シャフト２２には前記回転体取付パイプ２６の横に錘装置取付パイプ６０が外装されて設けられている。この錘装置取付パイプ６０には大径部と小径部が形成されている。
【００４１】
前記回転体支持中空シャフト２２と前記錘装置取付パイプ６０との間にはベアリング（図示せず）が配設され、このため錘装置取付パイプ６０は回転体支持中空シャフト２２と関係なく回転可能に設けられている。
【００４２】
前記錘装置取付パイプ６０の一端部には伝動スプロケットとしての伝動第１スプロケット６２Ａと伝動スプロケットとしての伝動第２スプロケット６２Ｂが並んで錘装置取付パイプ６０に固定されている。
【００４３】
前記錘装置取付パイプ６０には錘装置６４が設けられている。
錘装置６４を構成する錘支持フレーム６６は、逆コ字形状に形成されて前記錘装置取付パイプ６０に固定されている。
【００４４】
図４に示されるように、この錘支持フレーム６６の内側には伝動歯車６８が前記錘装置取付パイプ６０に固定状態で取り付けられている。
前記錘支持フレーム６６には錘装置６４を構成する錘支持シャフト７０が回転可能に取り付けられている。この錘支持シャフト７０には錘装置歯車７２が取り付けられている。この錘装置歯車７２は前記伝動歯車６８と噛み合った状態で取り付けられ、錘装置歯車７２と伝動歯車６８は互いに逆方向に回転するように配設されている。
【００４５】
前記錘支持シャフト７０には錘装置６４を構成する錘吊下げ棒７４の上端部が固定され、錘吊下げ棒７４を吊り下げている。
なお、前記錘装置取付パイプ６０は前記錘吊下げ棒７４の上部に挿通されている。
【００４６】
図１及び図２に示されるように、前記錘吊下げ棒７４の下部には１個１０キログラムの円板状の錘７６が５個取り外し可能に取り付けられている。
この錘７６の総重量は前記発電機３６Ａ，３６Ｂ，３６Ｃ，３６Ｄの発電機シャフト４０が回転しようとする際に発電機シャフト４０に作用する回転力に抗することができる重量である。
【００４７】
図２及び図３に示されるように、前記発電機３６Ａの発電機シャフト４０に設けられた発電機第１スプロケット４８Ａと前記発電機３６Ｂの発電機シャフト４０に設けられた発電機第１スプロケット４８Ａとの間には伝動第１チェーン８０Ａが懸架されている。
【００４８】
前記発電機３６Ａの発電機シャフト４０に設けられた発電機第２スプロケット４８Ｂと前記伝動第１スプロケット６２Ａとの間には伝動第２チェーン８０Ｂが懸架されている。
【００４９】
前記伝動第２スプロケット６２Ｂと前記発電機３６Ｃの発電機シャフト４０に設けられた発電機第１スプロケット４８Ａの間には伝動第３チェーン８０Ｃが懸架されている。
【００５０】
前記発電機３６Ｃの発電機シャフト４０に設けられた発電機第２スプロケット４８Ｂと前記発電機３６Ｄの発電機シャフト４０に設けられた発電機第１スプロケット４８Ａとの間には伝動第４チェーン８０Ｄが懸架されている。
【００５１】
図３に示されるように、前記回転体支持中空シャフト２２には始動モーター用スプロケット８２が固定状態で取り付けられている。
この始動モーター用スプロケット８４と前記始動モーター１８のスプロケット１８Ａには始動モーター用チェーン８４が懸架されている。
従って、始動モーター１８が駆動すると始動モーター用チェーン８４を介して回転体支持中空シャフト２２が回転するようになっている。
【００５２】
次に、第１実施例の改良型高効率発電装置１０の作用を説明する。
【００５３】
改良型高効率発電装置１０の始動モーター１８のスイッチをオンすることにより始動モーター１８が回転すると始動モーター用チェーン８４を介して回転体支持中空シャフト２２が回転する。
【００５４】
前記回転体支持中空シャフト２２が回転すると回転体支持中空シャフト２２に固定されている回転体取付パイプ２６が回転し、この回転体取付パイプ２６に固定されている回転体２８も回転体支持中空シャフト２２を中心にして図２時計回り方向（図２矢印Ａ方向）に回転する。
なお、この実施例では前記回転体２８の回転数は１分間１００回転に設定した。
【００５５】
前記回転体２８が図２時計回り方向に回転すると、発電機３６Ａ，３６Ｂ，３６Ｃ，３６Ｄも図２時計回り方向に回転し、発電機３６Ａ，３６Ｂ，３６Ｃ，３６Ｄの発電機シャフト４０に取り付けられている発電機大歯車４６も図２時計回り方向に回転する。
このため、発電機大歯車４６と噛み合っているギヤシャフト小歯車５８はギヤシャフト５２を中心にして発電機大歯車４６の外周面を回りながら回転することになるのでギヤシャフト５２に取り付けられているギヤシャフト大歯車５６も回転する。
このギヤシャフト大歯車５６が回転するとギヤシャフト大歯車５６と噛み合っている発電機小歯車４４が回転する。
発電機小歯車４４が回転すると、発電機小歯車４４と連結されている発電機３６Ａ，３６Ｂ，３６Ｃ，３６Ｄの回転円盤部３８が回転を開始する。
【００５６】
一方、前記発電機３６Ａの発電機シャフト４０は伝動第２チェーン８０Ｂによって、前記発電機３６Ｂの発電機シャフト４０は伝動第１チェーン８０Ａ及び伝動第２チェーン８０Ｂによって伝動第１スプロケット６２Ａと接続されている。
前記発電機３６Ｃの発電機シャフト４０は伝動第３チェーン８０Ｃによって、前記発電機３６Ｄの発電機シャフト４０は伝動第４チェーン８０Ｄ及び発電機伝動第３チェーン８０Ｃによって伝動第２スプロケット６２Ｂと接続されている。
このため、発電機３６Ａ，３６Ｂ，３６Ｃ，３６Ｄの発電機シャフト４０が回転しようとする回転力は第１発電機スプロケット４８Ａ，第２発電機スプロケット４８Ｂ、伝動第１チェーン８０Ａ，伝動第２チェーン８０Ｂ，伝動第３チェーン８０Ｃ，伝動第４チェーン８０Ｄ、伝動第１スプロケット６２Ａ，伝動第２スプロケット６２Ｂ、錘装置取付パイプ６０，伝動歯車６８に伝わるが、伝動歯車６８は錘支持シャフト７０に取り付けられた錘装置歯車７２と噛み合っている。
【００５７】
従って、伝動歯車６８は噛み合っている錘装置歯車７２を回転させようとするが、錘装置歯車７２には錘吊下げ棒７４を介して錘７６の重力が働いているので、伝動歯車６８には伝動歯車６８と反対方向に回転しようとする錘装置歯車７２の存在により伝動歯車６８は回転することができない。
この結果、前記発電機３６Ａ，３６Ｂ，３６Ｃ，３６Ｄの発電機シャフト４０は回転しない。
従って、前記発電機シャフト４０は回転しないが回転円盤部３８は発電機シャフト４０を中心に高速回転するため発電機３６Ａ，３６Ｂ，３６Ｃ，３６Ｄはそれぞれ一斉に発電する。
【００５８】
４個の発電機３６Ａ，３６Ｂ，３６Ｃ，３６Ｄによって発電された電気はリード線２３を介して改良型高効率発電装置１０で発電された電気を使用する外部装置等（図示せず）に使用されるようになっている。
【００５９】
従って、実施例の改良型高効率発電装置１０においては１個の始動モーター１８を作動することにより４個の発電機３６Ａ，３６Ｂ，３６Ｃ，３６Ｄが発電するので、発電効率を極めて高くすることができる。
【００６０】
また、実施例の改良型高効率発電装置１０は、高効率発電装置としては部品点数が少なく構造もシンプルであるので製造効率を高めることができると共に提供販売価格を抑えることができる。
【００６１】
しかも、改良型高効率発電装置１０は、４個の発電機３６Ａ，３６Ｂ，３６Ｃ，３６Ｄによって発電するので、二酸化炭素等の発生を可及的に低く抑えることができ環境に優しく、公害の発生を抑えることができると共に風力や太陽光等の自然環境に影響を受けないで安定して発電することができる。
【００６２】
また、回転体２８の重量や回転体２８に取り付けられた発電機３６Ａ，３６Ｂ，３６Ｃ，３６Ｄ、ギヤ装置５０等の重量の合計重量によりフライホイール効果が生じ回転が安定すると共に安定した発電を行うことができる。
【００６３】
図６〜図１２には本発明に係る改良型高効率発電装置の第２実施例が示されている。
なお、第１実施例の改良型高効率発電装置１０と同一の構成は同一の符号を用いてその説明は省略する。
【００６４】
図６に示されるように、第２実施例の改良型高効率発電装置１００の下部には平面視矩形状のベースプレート１０２が配設されている。
このベースプレート１２には回転体支持フレーム１０４が立設されている。この回転体支持フレーム１０４のフレーム第１スタンド部１０６とフレーム第２スタンド部１０８は互いに対向して設けられている。
【００６５】
図８に示されるように、前記回転体支持フレーム１０４にはフレーム第１スタンド部１０６の上端部とフレーム第２スタンド部１０８の上端部を連結するフレーム第１連結体１０９Ａとフレーム第２連結体１０９Ｂが対向して一体形成されている。
【００６６】
図６に示されるように、前記回転体支持フレーム１０４の上方には改良型高効率発電装置１００の左右方向（図６左右方向）に向かって回転体支持シャフトとしての回転体支持中空シャフト１１０が配設されている。
この回転体支持中空シャフト１１０には長手方向に向かって空洞部（図示せず）が形成されている。この空洞部にはリード線２３の中間部が配設されるようになっている。
【００６７】
前記回転体支持中空シャフト１１０の他端部には第１スリップリング２４が取り付けられている。
【００６８】
前記回転体支持中空シャフト１１０の中央部には回転体取付パイプ１１２が外装された状態で回転体支持中空シャフト１１０と固定され、回転体支持中空シャフト１１０と一緒に回転するようになっている。
【００６９】
前記回転体取付パイプ１１２には回転体１１４が固定された状態で取り付けられている。
従って、前記回転体支持中空シャフト１１０が回転すると回転体支持中空シャフト１１０を中心にして回転体１１４も一緒に回転するようになっている。
なお、この実施例では回転体１１４は図７時計回り方向（図７矢印Ａ方向）に回転するように設定されている。
【００７０】
図９に示されるように、前記回転体取付パイプ１１２の一側部には円板状の回転体第１固定板１１６が、他側部には円板状の回転体第２固定板１１８が、それぞれ固定されて取り付けられている。
前記回転体第１固定板１１６には長尺状の発電機第１支持片１２０が回転体１１４の周方向に向かって９０°間隔で４本取り付けられている。
また、前記回転体第２固定板１１８には長尺状の発電機第２支持片１２２が回転体１１４の周方向に向かって９０°間隔で４本取り付けられている。
前記４本の発電機第１支持片１２０と前記４本の発電機第２支持片１２２は互いに対向して設けられている。
【００７１】
図６及び図７に示されるように、前記４本の発電機第１支持片１２０の先端面には回転体を構成するリング状の回転体第１リング板１２４が適宜固定手段で設けられ、前記４本の発電機第２支持片１２２の先端面には回転体を構成するリング状の回転体第２リング板１２６（図７には図示せず）が適宜固定手段で設けられている。
この回転体第１リング板１２４と回転体第２リング板１２６は互いに対向して設けられている。
【００７２】
回転体第１リング板１２４と回転体第２リング板１２６の間には回転体１１４の周方向に向かって間隔保持棒１２８が設けられている。
【００７３】
図７に示されるように、前記４本の発電機第１支持片１２０と前記４本の発電機第２支持片１２２を互いに対向して設けることにより、発電機第１支持片１２０と発電機第２支持片１２２の間には第１発電機配設部３４Ａ，第２発電機配設部３４Ｂ，第３発電機配設部３４Ｃ，第４発電機配設部３４Ｄが等間隔で形成されている。
【００７４】
第１発電機配設部３４Ａには発電機３６Ａが配設され、第２発電機配設部３４Ｂには発電機３６Ｂが配設され、第３発電機配設部３４Ｃには発電機３６Ｃが配設され、第４発電機配設部３４Ｄには発電機３６Ｄが配設されている。
【００７５】
なお、この実施例では前記発電機３６Ａ，発電機３６Ｂ，発電機３６Ｃ，発電機３６Ｄは、同一の発電機で、株式会社スカイ電子の製品番号ＳＫＹ−ＨＲ２００のアウターローターコアレス発電機が使用され、回転円盤部が回転しない発電機シャフトを中心に回転することにより発電が行われる発電機である。
【００７６】
前記発電機３６Ａ，３６Ｂ，３６Ｃ，３６Ｄの回転子としての回転円盤部３８には固定子としての発電機シャフト４０が挿通されている（図５参照）。
【００７７】
図６に示されるように、この発電機シャフト４０は前記発電機第１支持片１２０に固定された軸受ユニット４２と発電機第２支持片１２２に固定された軸受ユニット４２にそれぞれ回転可能に支持されている。
【００７８】
前記発電機シャフト４０の中間部には発電機第１歯車としての発電機小歯車４４が取り付けられている。この発電機小歯車４４は前記発電機３６Ａ，３６Ｂ，３６Ｃ，３６Ｄの回転円盤部３８と連結されており、回転円盤部３８と一緒に回転するようになっている。
【００７９】
また、前記発電機シャフト４０の中間部には発電機第２歯車としての発電機大歯車４６が取り付けられている。この発電機大歯車４６は発電機シャフト４０と固定されている。
【００８０】
図１０及び図１１に示されるように、前記発電機３６Ａの発電機シャフト４０の一端部で回転体１１４の一側部側には第１発電機スプロケット４８Ａと第２発電機スプロケット４８Ｂが取り付けられている。
【００８１】
前記発電機３６Ｂの発電機シャフト４０の一端部で回転体１１４の一側部側には第１発電機スプロケット４８Ａが取り付けられている。また、前記発電機３６Ｂの発電機シャフト４０の他端部で回転体１１４の他側部側には第１発電機スプロケット４８Ａが取り付けられている。
【００８２】
前記発電機３６Ｃの発電機シャフト４０の一端部で回転体１１４の一側部側には第１発電機スプロケット４８Ａと第２発電機スプロケット４８Ｂが並んで取り付けられている。
【００８３】
前記発電機３６Ｄの発電機シャフト４０の一端部で回転体１１４の一側部側には第１発電機スプロケット４８Ａが取り付けられている。また、前記発電機３６Ｄの発電機シャフト４０の他端部で回転体１１４の他側部側には第１発電機スプロケット４８Ａが取り付けられている。
【００８４】
図６及び図８に示されるように、前記４個の発電機３６Ａ，３６Ｂ，３６Ｃ，３６Ｄの発電機シャフト４０の他端にはそれぞれ第２スリップリング４９が取り付けられている。
【００８５】
前記発電機３６Ａ，３６Ｂ，３６Ｃ，３６Ｄに一端部が接続された前記リード線２３は第２スリップリング４９から回転体支持中空シャフト１１０の空洞部を通って前記第１スリップリング２４に配線されるようになっている。
【００８６】
図６及び図８に示されるように、前記発電機第１支持片１２０と発電機第２支持片１２２との間には前記発電機３６Ａ，３６Ｂ，３６Ｃ，３６Ｄとセットになってギヤ装置５０がそれぞれ設けられている。
【００８７】
図８に示されるように、このギヤ装置５０のギヤシャフト５２の一端部は前記発電機第１支持片１２０に固定された軸受ユニット４２に支持されている。また、前記ギヤシャフト５２の他端部は前記発電機第２支持片１２２に設けられたギヤシャフト支持体１２９に支持されている。
このギヤシャフト支持体１２９は前記回転円盤部３８が回転しても回転円盤部３８と当接しないように設けられている。
【００８８】
前記ギヤシャフト５２の中間部にはギヤシャフト第１歯車としてのギヤシャフト大歯車５６とギヤシャフト第２歯車としてのギヤシャフト小歯車５８が取り付けられている。
このギヤシャフト大歯車５６は前記発電機小歯車４４と噛み合い、ギヤシャフト小歯車５８は前記発電機大歯車４６と噛み合っている。
【００８９】
図８及び図１２に示されるように、前記回転体支持中空シャフト１１０の一側部には錘装置取付第１パイプ１３０が、他側部には錘装置取付第２パイプ１３２が、それぞれ前記回転体支持中空シャフト１１０に外装されて設けられている。なお、図１２には錘装置取付第１パイプ１３０のみを示す。
【００９０】
前記回転体支持中空シャフト１１０と錘装置取付第１パイプ１３０、錘装置取付第２パイプ１３２との間にはベアリング（図示せず）が配設されている。
このため前記回転体支持中空シャフト１１０は錘装置取付第１パイプ１３０、錘装置取付第２パイプ１３２とフリーの関係となり回転体支持中空シャフト１１０は錘装置取付第１パイプ１３０、錘装置取付第２パイプ１３２と関係なく回転可能となっている。
【００９１】
図６及び図８に示されるように、前記錘装置取付第１パイプ１３０、前記錘装置取付第２パイプ１３２にはそれぞれ伝動スプロケットとしての伝動第１スプロケット１３４と伝動第２スプロケット１３６が並んで固定された状態で取り付けられている。
【００９２】
図１０に示されるように、前記発電機３６Ａの回転体１１４の一側部側（図６に示される回転体１１４の左側）に配設された発電機スプロケット４８Ｂと錘取付第１パイプ１３０の伝動第１スプロケット１３４は伝動第１チェーン１３８Ａが懸架されている。
【００９３】
前記発電機３６Ｃの回転体１１４の一側部側に配設された発電機スプロケット４８Ｂと錘取付第１パイプ１３０の伝動第２スプロケット１３６は伝動第２チェーン１３８Ｂが懸架されている。
【００９４】
前記発電機３６Ａの回転体１１４の一側部側に配設された発電機スプロケット４８Ａと前記発電機３６Ｄの回転体１１４の一側部側に配設された発電機スプロケット４８Ａは伝動第３チェーン１３８Ｃが懸架されている。
【００９５】
前記発電機３６Ｂの回転体１１４の一側部側に配設された発電機スプロケット４８Ａと前記発電機３６Ｃの回転体１１４の一側部側に配設された発電機スプロケット４８Ａは伝動第４チェーン１３８Ｄが懸架されている。
【００９６】
図１１に示されるように、前記発電機３６Ｂの回転体１１４の他側部側（図６に示される回転体１１４の右側）に配設された発電機スプロケット４８Ａと錘取付第２パイプ１３２の伝動第１スプロケット１３４は伝動第５チェーン１３８Ｅが懸架されている。
【００９７】
また、前記発電機３６Ｄの回転体１１４の他側部側に配設された発電機スプロケット４８Ａと錘取付第２パイプ１３２の伝動第２スプロケット１３６は伝動第６チェーン１３８Ｆが懸架されている。
【００９８】
図６に示されるように、前記錘装置取付第１パイプ１３０には錘装置を構成する錘吊下げ第１棒１６２の上端部が固定されている。
また、前記錘装置取付第２パイプ１３２には錘装置を構成する錘吊下げ第２棒１６４の上端部が固定されている。
【００９９】
前記錘吊下げ第１棒１６２及び錘吊下げ第２棒１６４の下部には錘装置を構成する錘７６が取り外し可能に複数個（実施例では５個）取り付けられるようになっている。
【０１００】
前記反転用錘吊下げ棒１６２及び前記錘吊下げ棒１６４に取り付けられる錘７６の総重量は前記発電機３６Ａ，３６Ｂ，３６Ｃ，３６Ｄの発電機シャフト４０が回転しようとする際に発電機シャフト４０に作用する回転力に抗することができる重量である。
【０１０１】
前記ベースプレート１０２には回転体支持フレーム１０４の内側に回転シャフト第１支持フレーム１７０と回転シャフト第２支持フレーム１７２が互いに対向して設けられている。
【０１０２】
前記回転シャフト第１支持フレーム１７０の天面にはピローブロック２０Ａが載置固定され、前記回転シャフト第２支持フレーム１７２の天面にはピローブロック２０Ｂが載置固定されている。これらピローブロック２０Ａ，２０Ｂは対向して同心状に固定されている。
【０１０３】
前記ピローブロック２０Ａ，２０Ｂには回転シャフト１７４が挿通され、ピローブロック２０Ａ，２０Ｂによって回転自在に支持されている。
【０１０４】
前記回転シャフト１７４の中央部には回転シャフトスプロケット１７６が固定されている。
従って、回転シャフト１７４と回転シャフトスプロケット１７６は一緒に回転するようになっている。
【０１０５】
また、回転シャフト１７４の中間部には回転力伝達体としての回転力伝達第１プーリー１８０と回転力伝達第２プーリー１８２がそれぞれ固定されて設けられている。
従って回転シャフト１７４が回転すると回転力伝達第１プーリー１８０、回転力伝達第２プーリー１８２も一緒に回転するようになっている。
【０１０６】
なお、図７に示されるように、前記回転シャフト１７４を図７矢印Ｗ１，Ｗ２方向にスライドさせることにより前記回転力伝達第１プーリー１８０と回転力伝達第２プーリー１８２を図７矢印Ｗ１，Ｗ２方向にスライドさせて取り付けることができるようになっている。
従って、前記回転力第１伝達プーリー１８０、回転力伝達第２プーリー１８２（図７では回転力第１伝達プーリー１８０のみを示す）を回転体第１リング板１２４、回転体第２リング板１２６（図７では回転体第１リング板１２４のみを示す）の真下ではなく少し図７矢印Ｗ１方向にスライドさせた位置に取り付けたり、回転体第１リング板１２４、回転体第２リング板１２６の真下に取り付けたりすることができる。
【０１０７】
図６に示されるように、回転力伝達第１プーリー１８０は前記回転体第１リング板１２４と対応し回転力伝達第２プーリー１８２は前記回転体第２リング板１２６と対応している。
【０１０８】
また、前記回転体第１リング板１２４の外周部１２４Ａは回転力伝達第１プーリー１８０の溝部１８０Ａに入り込んで回転体第１リング板１２４と回転力伝達第１プーリー１８０は当接し、前記回転体第２リング板１２６の外周部１２６Ａは回転力伝達第２プーリー１８２の溝部１８２Ａに入り込んで回転体第２リング板１２６と回転力伝達第２プーリー１８２は当接している。
【０１０９】
従って、前記回転体１１４の荷重は回転力伝達第１プーリー１８０と回転力伝達第２プーリー１８２に作用するようになっている。
【０１１０】
この結果、前記回転シャフト１７４が回転して回転力伝達第１プーリー１８０と回転力伝達第２プーリー１８２が回転すると、前記回転体１１４と回転体支持中空シャフト１１０は回転するようになっている。
【０１１１】
なお、図７に示されるように、この実施例では前記回転力第１伝達プーリー１８０、回転力伝達第２プーリー１８２（図７では回転力第１伝達プーリー１８０のみを示す）は回転体第１リング板１２４、回転体第２リング板１２６の真下ではなく少し図７矢印Ｗ１方向にスライドさせた状態で固定されている。
【０１１２】
前記回転力伝達第１プーリー１８０と前記回転力伝達第２プーリー１８２を少し図７矢印Ｗ１方向にスライドさせた位置で固定したことにより、前記回転力伝達第１プーリー１８０と回転力伝達第２プーリー１８２が回転して回転体１１４が回転する場合に回転体１１４がバランスよく安定して回転できるようになっている。
【０１１３】
図８に示されるように、前記フレーム第１スタンド部１０６の天面の両端部にはピローブロック２０Ａが載置固定されている。また、前記フレーム第２スタンド部１０８の天面の両端部にはピローブロック２０Ｂが載置固定されている。これらピローブロック２０Ａ，２０Ｂは対向して同心状に固定されている。
【０１１４】
前記ピローブロック２０Ａと前記ピローブロック２０Ｂにはガイドプーリー支持シャフト１８４が回転可能に支持されている。
前記ガイドプーリー支持シャフト１８４の中間部には回転体第１リング板１２４と回転体第２リング板１２６に対応するようにリング板ガイドプーリー１８６がそれぞれ設けられている。
前記回転体第１リング板１２４の外周部１２４Ａと前記回転体第２リング板１２６の外周部１２６Ａはリング板ガイドプーリー１８６の溝部１８６Ａに入り込むようになっている。
【０１１５】
従って、４個のリング板ガイドプーリー１８６を設けることにより回転体１１４は安定して回転力伝達第１プーリー１８０と回転力伝達第２プーリー１８２に支持されると共に回転体１１４が回転すると回転体第１リング板１２４と回転体第２リング板１２６はリング板ガイドプーリー１８６にガイドされるため回転体１１４は安定して円滑に回転できるようになっている。
【０１１６】
前記ベースプレート１０２には始動駆動体としての始動モーター１９０が載置状態で固定されている。この始動モーター１９０は前記コントロールボックス（図示せず）のモータースイッチ（図示せず）をオンすることにより始動回転するようになっている。
【０１１７】
図６に示されるように、前記始動モーター１９０のモーターシャフトに設けられたモーター用スプロケット１９２と前記回転シャフトスプロケット１７６には始動モーター用チェーン１９４が懸架されている。
【０１１８】
次に、第２実施例の改良型高効率発電装置１００の作用について説明する。
【０１１９】
改良型高効率発電装置１００の始動モーター１９０のスイッチをオンして始動モーター１９０が回転するとモーター用スプロケット１９２、始動モーター用チェーン１９４、回転シャフトスプロケット１７６を介して回転シャフト１７４が回転する。
【０１２０】
前記回転シャフト１７４が回転すると回転力伝達第１プーリー１８０、回転力伝達第２プーリー１８２も回転する。
回転体１１４の回転体第１リング板１２４は回転力伝達第１プーリー１８０と当接し、回転体第２リング板１２６は回転力伝達第２プーリー１８２と当接しているので、回転体１１４が回転する。
【０１２１】
前記回転体１１４が図７時計回り方向に回転すると、発電機３６Ａ，３６Ｂ，３６Ｃ，３６Ｄも図７時計回り方向に回転し、発電機３６Ａ，３６Ｂ，３６Ｃ，３６Ｄの発電機シャフト４０に取り付けられている発電機大歯車４６も図７時計回り方向に回転する。
このため、発電機大歯車４６と噛み合っているギヤシャフト小歯車５８はギヤシャフト５２を中心にして発電機大歯車４６の外周面を回りながら回転することになるのでギヤシャフト５２に取り付けられているギヤシャフト大歯車５６も回転する。
このギヤシャフト大歯車５６が回転するとギヤシャフト大歯車５６と噛み合っている発電機小歯車４４が回転する。
発電機小歯車４４が回転すると、発電機小歯車４４と連結されている発電機３６Ａ，３６Ｂ，３６Ｃ，３６Ｄの回転円盤部３８が回転を開始する。
【０１２２】
回転している回転体１１４の発電機３６Ａの回転体１１４の一側部側に配設された発電機スプロケット４８Ｂと錘装置取付第１パイプ１３０の伝動第１スプロケット１３４は伝動第１チェーン１３８Ａが懸架され、発電機３６Ｃの回転体１１４の一側部側に配設された発電機スプロケット４８Ｂと伝動第２スプロケット１３６は伝動第２チェーン１３８Ｂが懸架され、発電機３６Ａの回転体１１４の一側部側に配設された発電機スプロケット４８Ａと発電機３６Ｄの回転体１１４の一側部側に配設された発電機スプロケット４８Ａは伝動第３チェーン１３８Ｃが懸架され、発電機３６Ｂの回転体１１４の一側部側に配設された発電機スプロケット４８Ａと発電機３６Ｃの回転体１１４の一側部側に配設された発電機スプロケット４８Ａは伝動第４チェーン１３８Ｄが懸架されている。
【０１２３】
また、回転している回転体１１４の発電機３６Ｂの回転体１１４の他側部側に配設された発電機スプロケット４８Ａと伝動第１スプロケット１３４は伝動第５チェーン１３８Ｅが懸架され、発電機３６Ｄの回転体１１４の他側部側に配設された発電機スプロケット４８Ａと伝動第２スプロケット１３６は伝動第６チェーン１３８Ｆが懸架されている。
【０１２４】
このため、発電機３６Ａ，３６Ｂ，３６Ｃ，３６Ｄの発電機シャフト４０が回転しようとする回転力は伝動第１スプロケット１３４及び伝動第２スプロケット１３６を介して錘装置取付第１パイプ１３０と錘装置取付第２パイプ１３２に作用する。
【０１２５】
しかし、錘装置取付第１パイプ１３０には錘７６が取り付けられた錘吊下げ第１棒１６２が固定され、錘装置取付第２パイプ１３２には錘７６が取り付けられた錘吊下げ第２棒１６４が固定されている。
【０１２６】
このため、錘装置取付第１パイプ１３０と錘装置取付第２パイプ１３２に作用した力により錘装置取付第１パイプ１３０と錘装置取付第２パイプ１３２が図７矢印Ａ方向に僅かに回転して錘吊下げ第１棒１６２と錘吊下げ第２棒１６４は図７矢印Ａ１方向に少し傾斜するが錘７６の存在によりそれ以上錘装置取付第１パイプ１３０と錘装置取付第２パイプ１３２は回転せず、前記発電機３６Ａ，３６Ｂ，３６Ｃ，３６Ｄの発電機シャフト４０は回転しない。
【０１２７】
この結果、前記発電機シャフト４０は回転しないで回転円盤部３８が発電機シャフト４０を中心に高速回転するため発電機３６Ａ，３６Ｂ，３６Ｃ，３６Ｄはそれぞれ一斉に発電する。
【０１２８】
４個の発電機３６Ａ，３６Ｂ，３６Ｃ，３６Ｄによって発電された電気はリード線２３を介して改良型高効率発電装置１００で発電された電気を使用する外部装置等（図示せず）に使用されるようになっている。
【０１２９】
なお、実施例で示された発電機スプロケット４８Ａ，４８Ｂと伝動第１スプロケット１３４、伝動第２スプロケット１３６に懸架する伝動第１チェーン１３８Ａ、伝動第２チェーン１３８Ｂ、伝動第３チェーン１３８Ｃ、伝動第４チェーン１３８Ｄ、伝動第５チェーン１３８Ｅ、伝動第６チェーン１３８Ｆの懸架パターンは一例であり実施例に示された懸架パターンに限定されるものでないことは勿論である。
【０１３０】
また、実施例では改良型高効率発電装置１００が作動している時に錘吊下げ第１棒１６２と錘吊下げ第２棒１６４は図７矢印Ａ１方向に少し傾斜する場合を示したが、錘７６の重さや数を調節することにより錘吊下げ第１棒１６２と錘吊下げ第２棒１６４が図７矢印Ａ１方向に傾斜しないようにすることも可能である。
【０１３１】
なお、他の構成及び作用は第１実施例の改良型高効率発電装置１０の構成及び作用と同一であるのでその説明は省略する。
【０１３２】
なお、実施例では前記ギヤシャフト大歯車５６と前記発電機小歯車４４のギヤ比と前記ギヤシャフト小歯車５８と前記発電機大歯車４６のギヤ比は３：１としたが、ギヤ比は３：１に限定されるものでないことは勿論である。
【０１３３】
また、実施例では前記回転体２８、回転体１１４の回転数を１分間１００回転としたが、回転体２８、回転体１１４の回転数はこの回転数に限定されないことは勿論である。
【０１３４】
なお、実施例では回転体２８、回転体１１４に発電機３６Ａ，３６Ｂ，３６Ｃ，３６Ｄとギヤ装置５０をセットで４個取り付けた場合を示したが、取り付ける発電機３６Ａ，３６Ｂ，３６Ｃ，３６Ｄ、ギヤ装置５０の数は４個以上でも４個以下でもよく、４個に限定されるものでないことは勿論である。
【０１３５】
なお、実施例では発電機３６Ａ，３６Ｂ，３６Ｃ，３６Ｄをアウターローターコアレス発電機で使用したが、発電機３６Ａ，３６Ｂ，３６Ｃ，３６Ｄはアウターローターコアレス発電機に限定されるものでなく、インナーローター発電機でもよい。
例えば、磁石を回転子（ローター）にして内側に設け、巻線を固定子（ステータ）にして外側に設けて発電するインナーローター発電機を使用してもよい。
発電機をインナーローター発電機にした場合は、インナーローター発電機の固定子を回転させないようにすると共にギヤ装置５０のギヤシャフト大歯車５６でインナーローター発電機の回転子を回転させてインナーローター発電機で発電する。
【０１３６】
なお、実施例では前記錘吊下げ棒７４に１個１０キログラムの円板状の錘７６を５個取り付けた場合を示したが、錘７６の重さや数は実施例に限定されるものでないことは勿論である。
【０１３７】
なお、実施例では始動駆動部として始動モーター１８、始動モーター１９０を使用した場合を示したが始動駆動体は始動モーター１８、始動モーター１９０に限定されるものでなく、回転体支持中空シャフト２２、回転シャフト１７４を回転させことができれば始動モーター１８、始動モーター１９０に限定されない。
【符号の説明】
【０１３８】
１０    改良型高効率発電装置
１２    ベースプレート
１４    回転体第１支持体
１６    回転体第２支持体
１８    始動モーター
２２    回転体支持中空シャフト
２４    第１スリップリング
２６    回転体取付パイプ
２８    回転体
２８Ａ  回転体第１矩形フレーム
２８Ｂ  回転体第２矩形フレーム
３０    発電機第１支持片
３２    発電機第２支持片
３６Ａ  発電機
３６Ｂ  発電機
３６Ｃ  発電機
３６Ｄ  発電機
３８    回転円盤部
４０    発電機シャフト
４２    軸受ユニット
４４    発電機小歯車
４６    発電機大歯車
４８Ａ  発電機第１スプロケット
４８Ｂ  発電機第２スプロケット
４９    第２スリップリング
５０    ギヤ装置
５２    ギヤシャフト
５４    ギヤシャフト支持片
５６    ギヤシャフト大歯車
５８    ギヤシャフト小歯車
６０    錘装置取付パイプ
６２Ａ  伝動第１スプロケット
６２Ｂ  伝動第２スプロケット
６４    錘装置
６６    錘支持フレーム
６８    伝動歯車
７０    錘支持シャフト
７２    錘装置歯車
７４    錘吊下げ棒
７６    錘
８０Ａ  伝動第１チェーン
８０Ｂ  伝動第２チェーン
８０Ｃ  伝動第３チェーン
８０Ｄ  伝動第４チェーン
８２    始動モーター用スプロケット
８４    始動モーター用チェーン
１００  改良型高効率発電装置
１０４  回転体支持フレーム
１１０  回転体支持中空シャフト
１１４  回転体
１２４  回転体第１リング板
１２６  回転体第２リング板
１３０  錘装置取付第１パイプ
１３２  錘装置取付第２パイプ
１３４  伝動第１スプロケット
１３６  伝動第２スプロケット
１６２  錘吊下げ第１棒
１６４  錘吊下げ第２棒
１７４  回転シャフト
１８０  回転力伝達第１プーリー
１８２  回転力伝達第２プーリー
【図１】
2019024299.tif 000003
【図２】
2019024299.tif 000004
【図３】
2019024299.tif 000005
【図４】
2019024299.tif 000006
【図５】
2019024299.tif 000007
【図６】
2019024299.tif 000008
【図７】
2019024299.tif 000009
【図８】
2019024299.tif 000010
【図９】
2019024299.tif 000011
【図１０】
2019024299.tif 000012
【図１１】
2019024299.tif 000013
【図１２】
2019024299.tif 000014